(57)【要約】      （修正有）【課題】多様な幅の農用マルチシートを取り付けることができ、マルチシート敷設の農作業を簡単にするマルチシート敷設支援具を提供する。【解決手段】  農用マルチシート２００の巻芯２２０の孔径よりも大きな外面体と孔径よりも小さい内面体を持つ第１の連結具１１０と第２の連結具１２０を、巻芯２２０の一端２２１と他端に取り付ける。第１の連結具１１０の外面体には第１の紐体１３０がつながれている。第２の紐体１４０は第１の連結具１１０の内面体から巻芯２２０内部を通って第２の連結具１２０の内面体と外面体を貫通して引き出されている。制止体１５０を第２の連結具１２０に当接するように設け、第２の連結具１２０の移動を制限する。第２の紐体１４０の一部が弾性体であれば巻芯２２０の両端から引き締めることができ安定して取り付けることができる。【選択図】図５
0003156175.tif 000002
【実用新案登録請求の範囲】
【請求項１】
農用マルチシートの巻芯の孔径よりも大きな外面体と前記巻芯の孔径よりも小さい内面体を備え、前記巻芯の一端の孔口に取り付ける第１の連結具および前記巻芯の他端の孔口に取り付ける第２の連結具と、
一端が前記第１の連結具の前記外面体につながれた第１の紐体と、一端が前記第１の連結具の前記内面体につながれ、他端が前記巻芯内部を通って前記第２の連結具の前記内面体から前記外面体を貫通して引き出された第２の紐体と、
前記第２の紐体上に摺動可能に取り付けられ、自然状態では摩擦力により前記第２の紐体上で静止し、前記第２の連結具の移動を制限する制止体を備え、
前記第２の連結具が前記第２の紐体上を移動自在であり、前記制止体の前記第２の紐体上の位置に応じて前記第２の連結具が制止され、前記第１の連結具と前記第２の連結具間の距離が調整される農用マルチシート敷設支援具。
【請求項２】
前記第１の連結具の前記内面体から前記第２の連結具の前記内面体の範囲において前記第２の紐体の一部を弾性体としたことを特徴とする請求項１に記載の農用マルチシート敷設支援具。
【請求項３】
前記第２の紐体を前記巻芯の前記一端の孔から通し入れて前記他端から引き出すとともに、前記第１の連結具の前記内面体を前記巻芯の前記一端の孔に収めて取り付け、前記第２の紐体の他端を前記第２の連結具の前記内面体から前記外面体に抜けるように貫通させ、前記第２の連結具を前記第２の紐体に沿って前記巻芯の前記他端の孔まで移動させて取り付け、前記制止体も前記第２の紐体の他端から通し入れ、前記制止体を前記第２の紐体に沿って摺動させて前記第２の連結具を制止する位置に取り付ける請求項２に記載の農用マルチシート敷設支援具。
【請求項４】
前記第２の連結具を前記巻芯の前記他端の孔に取り付けた後、さらに、前記第２の紐体を引き伸ばして弾性力を発生させた状態にて前記制止体を前記第２の連結具を制止する位置に静止させ、前記第１の連結具と前記第２の連結具により前記巻芯を挟持せしめたことを特徴とする請求項３に記載の農用マルチシート敷設支援具。
【請求項５】
前記第１の連結具および前記第２の連結具において、前記外面体と前記内面体の間が回動可能な構造とし、前記巻芯が回転しやすい構造とした請求項１から４のいずれか１項に記載の農用マルチシート敷設支援具。
【請求項６】
前記第２の紐体上に目盛りとなる線または目盛りとなる色分けを付けた請求項１から５のいずれか１項に記載の農用マルチシート敷設支援具。
【考案の詳細な説明】
【技術分野】
【０００１】
本考案は、いわゆる農用マルチシートを畑の畝に簡単かつ確実に敷設し、農業作業者の作業姿勢も楽にするマルチシート敷設支援具に関する。
【背景技術】
【０００２】
一般に、畑作業において、冬季等の寒い時期に対処するために、畑の畝に間隔を隔てて農作物を植え付けた後、農用マルチシートを畝に敷設して寒冷から農作物を保護する。さらにその後、発芽、苗の生長等を経て、農用マルチシートに開口を形成する等の農作業が必要となる。
農用マルチシートとは、薄いプラスチックフィルム製のシートであり、農作物の成育を促進させるために地温の保温、雑草の発芽成育の防止、肥料の流出防止等を目的とするものである。また、その色は雑草の繁殖、成育を防止するために光を遮蔽する黒色のものが使われることが多い。
【０００３】
農用マルチシートの敷設は一般には容易ではなくコツが必要とされる。例えば、ロール状に巻かれた農用マルチシートを畝に転動させながら敷設する際に、ロール状の農用マルチシートが蛇行しやすく、一人で敷設する作業が難しいものとなっていた。また、植え付ける作物に応じて畝幅が決まり、植え付ける作物に応じた適正な植え付け間隔（株間、条間）に応じて植え付ける必要があるため、マルチシートの幅は様々な幅のものが販売されており、扱いが難しいものとなっていた。特に、初心者にとっては一層難しいものとなる。
【０００４】
そこで、従来技術において、農用マルチシートの敷設を支援する器具がいくつか提案されている。
例えば、特開２００３−１８０１７４号公報の技術が知られている（特許文献１）。特開２００３−１８０１７４号公報の技術は、ロール状の農用マルチシートの巻き芯の孔に挿通する棒状体と、その棒状体の両端部に着脱自在に取付ける手引き用の紐状体を備えたものである。農用マルチシートは巻芯にロール状に巻かれており、特開２００３−１８０１７４号公報の技術は巻芯内に木材などの棒状体を通し入れ、その両端に紐状体を取り付けるものである。使用においては、紐状体の真ん中を引っ張ることで畝に対して棒状体を直交させて引き回し、棒状体の進行に伴って棒状体が挿通している巻芯および巻芯に対してロール状に巻かれたマルチシートが回転しつつマルチシートが解かれて敷設されてゆくものとなっている。
【０００５】
また、例えば、実開昭５８−１０７７７４号公報の技術が知られている（特許文献２）。実開昭５８−１０７７７４号公報の技術は、ロール状の農用マルチシートの巻き芯の孔に挿通する棒状体を備えた点は特許文献１と同様であるが、紐状体ではなく、棒状体の両端部に固定した手引き用の木枠体を備えたものである。つまり、紐ではなく木枠体を備えたものとなっている。使用においては、木枠体の持ち手を引っ張ることによって畝に対して棒状体を直交させて引き回し、棒状体の進行に伴って棒状体が挿通している巻芯および巻芯に対してロール状に巻かれたマルチシートが回転しつつマルチシートが解かれて敷設されてゆくものとなっている。
【０００６】
【特許文献１】特開２００３−１８０１７４号公報
【特許文献２】実開昭５８−１０７７７４号公報
【考案の開示】
【考案が解決しようとする課題】
【０００７】
しかし、上記従来のマルチシート敷設支援具では以下の問題があった。
まず、特開２００３−１８０１７４号公報のマルチシート敷設支援具の第１の問題は、棒状体の長さが決められた長さとなっているので、取り付けられる農用マルチシートの幅が制限されているという問題である。上記従来技術の欄で述べたように、マルチシートの幅は植え付ける作物に適した畝幅に応じて決まり、様々な幅のものが販売されており、作業者が農作物に応じてマルチシートを選択する必要があるが、特開２００３−１８０１７４号公報のマルチシート敷設支援具では、取り付けられる農用マルチシートの幅が制限されてしまう。特開２００３−１８０１７４号公報には、取り付けるマルチシートの幅の調整手段として、棒状体が長さ方向に複数に分割されているものや仕込み構造により長さ方向に伸縮するものが開示されているが、棒状体の長さを調整することは実際には難しく、取り付けられる農用マルチシートの幅が事実上制限されていた。
【０００８】
また、特開２００３−１８０１７４号公報のマルチシート敷設支援具の第２の問題は、使用時に紐状体と棒状体が不意に外れてしまい、ひいてはロール状のマルチシートが巻芯ごと外れてしまうという不具合が起こりやすいという問題である。棒状体の両端に紐状体の紐連結具を押し込んで取り付けるようになっているが、不均一な畝の上を転がしてマルチシートを敷設していると、振動などが伝わり、棒状体の両端から紐連結具が外れ、ロール状のマルチシートも外れてしまう不具合が発生しやすくなってしまう。
【０００９】
次に、実開昭５８−１０７７７４号公報のマルチシート敷設支援具でも同様、木枠体の幅が固定されているので、取り付けられる農用マルチシートの幅が固定されているという問題があった。上記従来技術の欄で述べたように、マルチシートの幅は植え付ける作物に適した畝幅に応じて決まり、様々な幅のものが販売されており、作業者が農作物に応じてマルチシートを選択する必要があるが、実開昭５８−１０７７７４号公報のマルチシート敷設支援具では取り付けられる農用マルチシートの幅が固定されているので、多様な幅の農用マルチシートを扱うためには、多数のマルチシート敷設支援具を購入して用意しなければならないという問題があった。
【００１０】
本考案は、上記従来の問題点に鑑み案出されたものであって、簡便な構造、少ない手順で多様な幅の農用マルチシートに対応して取り付けることができ、マルチシート敷設の農作業を簡単にすることができるマルチシート敷設支援具を提供することを目的とする。
【課題を解決するための手段】
【００１１】
本考案のマルチシート敷設支援具は、農用マルチシートの巻芯の孔径よりも大きな外面体と巻芯の孔径よりも小さい内面体を備え、巻芯の一端の孔口に取り付ける第１の連結具および巻芯の他端の孔口に取り付ける第２の連結具と、一端が第１の連結具の外面体につながれた第１の紐体と、一端が第１の連結具の内面体につながれ、他端が巻芯内部を通って第２の連結具の内面体から外面体を貫通して引き出された第２の紐体と、第２の紐体上に摺動可能に取り付けられ、自然状態では摩擦力により第２の紐体上で静止し、第２の連結具の移動を制限する制止体を備え、第２の連結具が第２の紐体上を移動自在であり、制止体の第２の紐体上の位置に応じて第２の連結具が制止され、第１の連結具と第２の連結具間の距離が調整される農用マルチシート敷設支援具である。
上記構成により、第１の連結具と第２の連結具間の距離を自在に調整することができ、どのような幅の農用マルチシートであっても対応することができる。また、農用マルチシートの芯材の中を第２の紐体が貫通する形で取り付けられるため、不意に農用マルチシートが外れてしまうという不具合が発生しない。
【００１２】
農用マルチシートの装着方法としては、第２の紐体を前記巻芯の一端の孔から通し入れて他端から引き出すとともに、第１の連結具の内面体を巻芯の一端の孔に収めて取り付け、第２の紐体の他端を第２の連結具の内面体から外面体に抜けるように貫通させ、第２の連結具を第２の紐体に沿って巻芯の他端の孔まで移動させて取り付け、制止体も第２の紐体の他端から通し入れ、制止体を第２の紐体に沿って摺動させて第２の連結具を制止する位置に取り付ければ良い。
【００１３】
なお、上記構成において、第１の連結具の内面体から第２の連結具の内面体の範囲において第２の紐体の一部を弾性体とする構成が好ましい。なお、弾性体は特に限定されないが、例えば、バネ、ゴムなどがある。
【００１４】
上記構成において、第２の連結具を巻芯の他端の孔に取り付けた後、さらに、第２の紐体を引き伸ばして弾性力を発生させた状態にて制止体を第２の連結具を制止する位置に静止させることにより、弾性体が巻芯の内部から第１の連結具と第２の連結具を引っ張ることとなり、第１の連結具と第２の連結具が両側から巻芯をしっかりと挟持せしめる構成となり、巻芯から第１の連結具と第２の連結具が抜け落ちにくくなる。
【００１５】
なお、上記構成において、農用マルチシートが回転しやすいように、第１の連結具および第２の連結具において、外面体と内面体の間が回動可能な構造とし、巻芯が回転しやすい構造とすることが好ましい。回動手段は特に限定されないが、例えば、第１の連結具と第２の連結具の境界面にベアリング機構を設けた構造がある。
【００１６】
また、第２の紐体上に目盛りとなる線または目盛りとなる色分けを付けておくことが好ましい。このような目盛りや色分けを付けておくことにより、農用マルチシートの多様な幅に対して、取り付けの際の幅の調整の目安とすることができる。
【考案の効果】
【００１７】
本考案のマルチシート敷設支援具によれば、第１の連結具と第２の連結具間の距離を自在に調整することができ、どのような幅の農用マルチシートであっても対応することができる。また、農用マルチシートの芯材の中を第２の紐体が貫通する形で取り付けられるため、不意に農用マルチシートが外れてしまうという不具合が発生しない。
本考案のマルチシート敷設支援具によれば、また、第１の連結具の内面体から第２の連結具の内面体の範囲において第２の紐体の一部を弾性体とする構成とすれば、弾性体が巻芯の内部から第１の連結具と第２の連結具を引っ張ることとなり、第１の連結具と第２の連結具が両側から巻芯をしっかりと挟持せしめる構成となり、巻芯から第１の連結具と第２の連結具が抜け落ちにくくなる。
【考案を実施するための最良の形態】
【００１８】
以下、図面を参照しつつ、本考案のマルチシート敷設支援具の実施形態を説明する。ただし、本考案の技術的範囲は以下の実施形態に示した具体的な用途や形状・寸法などには限定されない。
【実施例１】
【００１９】
実施例１として本考案のマルチシート敷設支援具１００の第１の構成例を示す。図１は、本考案のマルチシート敷設支援具の構成例を示す図である。
【００２０】
図１（ａ）に示すように、マルチシート敷設支援具１００は、第１の連結具１１０、第２の連結具１２０、第１の紐体１３０、第２の紐体１４０、弾性体１４１、制止体１５０を備えたものとなっている。なお、農用マルチシート２００の構成は、図１（ｂ）に示すように、マルチシート材２１０、巻芯２２０（巻芯の孔径Ｒ）を備えたものとして説明する。巻芯２２０の各部位は図１（ｂ）および図１（ｃ）に示すように、一端２２１、その孔口２２２、他端２２３、その孔口２２４がある。
【００２１】
第１の連結具１１０は、農用マルチシート２００の巻芯２２０の孔径Ｒよりも大きな外面体１１１と、巻芯２２０の孔径Ｒよりも小さい内面体１１２を備えている。図２（ａ）に示すように、内面体１１２は巻芯２２０の孔口２２２内に嵌り込むが外面体１１１が巻芯２２０の孔口２２２の縁に当接し、第1の連結具１１０が巻芯２２０の一端２２１に取り付けられることとなる。
【００２２】
この構成では図２（ｂ）に示すように、第１の連結具１１０において、外面体１１１と内面体１１２の間が回動可能な構造であるものとする。例えば、両者の間にベアリング構造などを仕込まれており、外面体１１１と内面体１１２が回転しやすい構造となっている。第1の連結具１１０の外面体１１１が第１の紐体１３０を介して引っ張られている時に内面体１１２が回転しやすい構造であれば、後述するように第１の紐体１３０と第２の紐体１４０を引くことで巻芯２２０およびマルチシート材２１０が利用者の進行に伴ってスムーズに回転することとなり、マルチシート敷設作業が容易となる。
第２の連結具１２０はこの構成例では第１の連結具１１０と同じ構成で良く、ここでの説明を省略する。
【００２３】
図４に示すように、第１の連結具１１０は農用マルチシート２００の巻芯２２０の一端２２１の孔口２２２に取り付けられ、第２の連結具１２０は農用マルチシート２００の巻芯２２０の他端２２３の孔口２２４に取り付けられる。
【００２４】
第１の紐体１３０は、繊維紐、ビニル紐、針金など或る程度の引っ張り強度がある紐状のものであれば良い。第１の紐体１３０はその一端が第１の連結具１１０の外面体１１１につながれており、他端は紐体の一つとして利用者が持ち、後述するように引くこととなる。
【００２５】
第２の紐体１４０は、第１の紐体１３０と同様、繊維紐、ビニル紐、針金など或る程度の引っ張り強度がある紐状のものであれば良い。図１（ａ）に示すように、第２の紐体１４０は第２の連結具１２０の内面体１２２から外面体１２１を貫通しており、図２（ｃ）に示すように、第２の連結具１２０は第２の紐体１４０に沿って自由に移動できるようになっている。ただし、後述する図４に示すように、制止体１５０と第２の連結具１２０の外面体１２１に挟まれると摺動はしない。
【００２６】
第２の紐体１４０は図４に示すように、その一端が第１の連結具１１０の内面体１１２につながれており、巻芯２２０の内部を通って第２の連結具１２０の内面体１２２から外面体１２１を貫通して引き出され、利用者の手元につながっており、利用者が引くこととなる。
【００２７】
なお、この構成例では、第２の紐体１４０は一部に弾性体１４１が設けられている。弾性体としてはバネ、ゴムなど特に限定されない。弾性体１４１が設けられている範囲は、図１（ａ）に示すように、第１の連結具１１０の内面体１１２から第２の連結具１２０の内面体１２２の範囲であり、農用マルチシート２００に取り付けた場合、その範囲は図５に示すように、農用マルチシート２００の巻芯２２０の内部に位置するものである。
【００２８】
つまりこの構成では、図５に示すように、巻芯２２０の両端に取り付けられている第１の連結具１１０と第２の連結具１２０の間に弾性体１４１が設けられ、その弾性力により両端の第１の連結具１１０と第２の連結具１２０をしっかりと引き締めて巻芯２２０の両端から第１の連結具１１０と第２の連結具１２０が抜け出ないように工夫したものである。
【００２９】
また、第２の紐体１４０において目盛りとなる線や色分けを付ける構成も可能である。目盛りとなる線や色分けを設けておくことにより、本発明の農用マルチシート敷設支援具１００を農用マルチシート２００に装着する際、第１の連結具１１０と第２の連結具１２０の距離調整の目安とすることができる。
【００３０】
次に、制止体１５０は、第２の紐体１４０上に摺動可能に取り付けられるものであり、自然状態では摩擦力により第２の紐体１４０上で静止するものである。この構成例では、図３（ａ）に示すように、制止体は３つの孔が開いた部材となっており、この３つの孔を縫うように第２の紐体１４０をジグザグに通すように取り付ける。図３（ｂ）に示すように、第２の紐体１４０の両端を引けば大きな摩擦力がかかり、自然状態では制止体１５０は第２の紐体１４０上で動かなくなる。一方、図３（ｃ）に示すように、制止体１５０の孔１つずつに対して第２の紐体１４０を繰り出して行けば制止体１５０の第２の紐体１４０上の位置を調整することができる。この制止体１５０を第２の連結具１２０に当接するように配置すれば第２の連結具１２０の移動が制限される。
【００３１】
このように、第２の連結具１２０は、当初の取り付け設定時では第２の紐体１４０上での移動は自在であるが、第２の連結具１２０が巻芯２２０の他端２２３に取り付けられた後は、弾性体１４１により巻芯２２０側へ引き付ける力が常にかかり、さらには、巻芯２２０から離れる方向には制止体が存在するため、巻芯２２０側の他端の孔口付近で安定した状態となる。
【００３２】
つまり、本発明の農用マルチシート敷設支援具１００では、第１の連結具１１０と第２の連結具１２０間の距離は自在に調整でき、調整後は容易に外れることなく安定した状態となり、また、その後、第１の連結具１１０と第２の連結具１２０間の距離を変えることも容易である。つまり、マルチシート２１０の幅として簡単に多様なものに対応できる。
【００３３】
次に、本発明の農用マルチシート敷設支援具１００の農用マルチシート２００への装着方法を説明する。一例として、装着する農用マルチシート２００の幅は２ｍとする。
初期状態は、図６（ａ）に示すように、本発明の農用マルチシート敷設支援具１００は第１の紐体１３０、第１の連結具１１０、第２の紐体１４０、弾性体１４１のみがつながっており、第２の連結具１２０、制止体１５０は外された状態となっている。
【００３４】
（手順１）
農用マルチシート２００の巻芯２２０の一端２２１の孔口２２２から、第２の紐体１４０と弾性体１４１を落とし入れ、第２の紐体１４０を巻芯２２０の他端２２３の孔口２２４から出す（図６（ｂ））。そのまま第２の紐体１４０を引き出し続けると、巻芯２２０の一端２２１の孔口２２２付近に第１の連結具１１０が到達する。第１の連結具１１０の内面体１１２の径は巻芯２２０の径Ｒより小さいので内面体１１２は巻芯２２０の孔口２２２内に収まり、外面体１１１の径はＲより大きいので外面体１１１は巻芯２２０の孔口２２２の縁で止まり、第１の連結具１１０は巻芯２２０の一端２２１に取り付けられる（図７（ａ））。
【００３５】
（手順２）
巻芯２２０の他端２２３から出た第２の紐体１４０の先端を、第２の連結具１２０の内面体１２２から外面体１２１へと通し入れて巻芯２２０の方へ通し入れる。そのまま第２の連結具１２０を巻芯２２０側へ滑らせてゆくと第２の連結具１２０の内面体１２２の径は巻芯２２０の径Ｒより小さいので内面体１２２が巻芯２２０の孔口２２４内に収まり、外面体１２１の径はＲより大きいので外面体１２１は巻芯２２０の孔口２２４の縁で止まり、第２の連結具１２０は巻芯２２０の他端２２３に取り付けられる（図７（ｂ））。
【００３６】
（手順３）
ここで、さらに、第２の紐体１４０を第２の連結具１２０の外側方向（利用者の手元方向）へ引き絞る。巻芯２２０内部に位置する第２の紐体１４０の一部は弾性体１４１であるので、第２の紐体１４０を引き絞ることにより弾性体１４１が伸びて弾性力が生じた状態となる（図７（ｃ））。
【００３７】
（手順４）
弾性力１４１に適度に弾性力を働かせた状態にて、制止体１５０が第２の連結具１２０の直後（利用者の手元側）に位置するように調整し、第２の紐体１４０が制止体１５０に縫うように通されて大きな摩擦力が発生し動きが止まる。この状態で、第２の紐体１４０と制止体１５０の相対位置は固定され、制止体１５０と第２の連結具１２０が当接する（図８（ａ））。
【００３８】
以上のように、第１の連結具１１０、巻芯２２０、第２の連結具１２０、制止体１５０が、第２の紐体１４０および弾性体１４１の弾性力により、図８（ａ）に示す状態にて固定される。巻芯２２０は、第１の連結具１１０と第２の連結具１２０により挟持されたようになる。
【００３９】
次に、本発明の農用マルチシート敷設支援具１００による農用マルチシートの敷設作業を簡単に説明する。
【００４０】
（使用手順１）
上記の手順にて農用マルチシート２００を装着した後、利用者は、畝などの農作業場において、図３に示すように、第１の紐体１３０の長さと、巻芯２２０の他端から引き出されている第２の紐体１４０の長さが略等しくなる位置を手で掴んで持つ。
【００４１】
（使用手順２）
そのまま、利用者が畝に沿って移動すれば、農用マルチシート２００は畝に対して略直角になり、利用者の移動に伴ってロール状に巻かれているマルチシート材２１０が繰り出され、畝を覆って行く。
この際、図９に示すように、第１の連結具１１０および第２の連結具１２０がベアリング機構などの仕組みにより滑らかに回転し、マルチシート材２１０が繰り出されて行く。
【００４２】
もし、利用者が他の畝で、違う幅のマルチシート材２１０を張る必要があれば、上記した装着手順とは逆の手順で、本発明の農用マルチシート敷設支援具１００から農用マルチシート２００を取り外し、別の適切な幅の農用マルチシート２００を装着して用いれば良い。
【００４３】
以上、本考案の農用マルチシート敷設支援具における好ましい実施例を図示して説明してきたが、本考案の技術的範囲を逸脱することなく種々の変更が可能であることは理解されるであろう。
【産業上の利用可能性】
【００４４】
本考案は、農用マルチシートを敷設する用具に対して広く適用することができる。農用マルチシートの幅などには限定されず多様な幅のものに対応できる。
【図面の簡単な説明】
【００４５】
【図１】本考案のマルチシート敷設支援具の構成例を示す図
【図２】第１の連結具１１０の構造および取り付け方法を説明する図
【図３】制止体１５０の構造および取り付け方法を説明する図
【図４】本発明の農用マルチシート敷設支援具１００に農用マルチシート２００を装着した様子を示す図
【図５】本発明の農用マルチシート敷設支援具１００に農用マルチシート２００を装着した状態における巻芯２２０の内部の状態を示す図
【図６】本発明の農用マルチシート敷設支援具１００に農用マルチシート２００を装着する手順を説明する図（その１）
【図７】本発明の農用マルチシート敷設支援具１００に農用マルチシート２００を装着する手順を説明する図（その２）
【図８】本発明の農用マルチシート敷設支援具１００に農用マルチシート２００を装着する手順を説明する図（その３）
【図９】本発明の農用マルチシート敷設支援具１００を用いた農用マルチシート２００の敷設の様子を簡単に示した図
【図１０】従来の農用マルチシートの敷設支援器具の構造を簡単に示した図
【符号の説明】
【００４６】
１００  マルチシート敷設支援具
１１０  第１の連結具
１１１  外面体
１１２  内面体
１２０  第２の連結具
１２１  外面体
１２２  内面体
１３０  第１の紐体
１４０  第２の紐体
１４１  弾性体
１５０  制止体
２００  農用マルチシート
２１０  マルチシート材
２２０  巻芯
２２１  一端
２２２  孔口
２２３  他端
２２４  孔口
【図１】
0003156175.tif 000003
【図２】
0003156175.tif 000004
【図３】
0003156175.tif 000005
【図４】
0003156175.tif 000006
【図５】
0003156175.tif 000007
【図６】
0003156175.tif 000008
【図７】
0003156175.tif 000009
【図８】
0003156175.tif 000010
【図９】
0003156175.tif 000011
【図１０】
0003156175.tif 000012